(57)【要約】【課題】  この考案は、誰が使用しても全作業区域まで手が届き、楽で作業性の良いスタンド付ビーズ織り機を開発・提供する事にある。【解決手段】  この考案は前後の上部に突出部を形成した左右側板を所定幅寸法に平行に並設し、前後下部には左右先端にネジ部を形成した心棒付糸巻き棒を回動自在にそれぞれ取り付けて側板の左右外側で止め栓により係止し、該糸巻き棒には糸押え棒を心棒方向に形設した長溝に嵌入し、且つ、心棒方向一列に所定間隔に複数個の糸止め棒止め孔を前記長溝に対して直角方向に設け、且つ、該糸止め棒止め孔に糸止め棒を嵌挿し、且つ、側板前後の上部には左右にわたる螺旋バネ及び目数尺度付き保持棒をそれぞれ固定して成り、且つ、左右両側板外面部の前方一端に蝶ネジ等の係止部材により係止した一対のスタンドをそれぞれ設け、且つ、該一対のスタンドを所定角度に立てて使用可能にしたものである。【選択図】  図１
0003103647.tif 000002
【実用新案登録請求の範囲】
【請求項１】
上・下端部に、それぞれ前方に向けて突出部を形成した左・右側枠（１）（２）を、所定幅寸法（Ｗ）を保って、左右に並設し、これら側枠（１）（２）には、両端を係止部材（５）で係止した糸巻き棒（４）を、回動自在にそれぞれ取り付け、そして、糸巻き棒（４）には、糸押え棒（６）を、心棒方向に形成した長溝（７）に嵌入し、且つ、心棒方向に一列に所定間隔（Ｐ）に複数個の糸止め棒止め孔（８）を前記長溝（７）に対して直角方向に設けると共に、該糸止め棒止め孔（８）に糸止め棒（９）を嵌挿し、更に側枠（１）（２）両端の突出部間に、螺旋バネ（１０）及び目数尺度（１２）付き保持棒（１１）を、それぞれ固定し、且つ、該上部螺旋バネ（１０）内部に糸離脱防止用係止棒部材（１０'）を嵌挿し、且つ、該左・右側枠（１）（２）のそれぞれ内面部の上方一端部付近に、止め栓等の係止部材（１３）で固定し、且つ、折り畳み式ストッパー等の固定手段（１７）を有するスタンド（１４）（１５）をそれぞれ設け、これらスタンドを、立てる事により左・右側枠（１）（２）を、所定の角度（α）に傾けて使用する事を特徴とするスタンド付きビーズ織り機。
【考案の詳細な説明】
【技術分野】
【０００１】
この考案は、ビーズを使用して、小はエンブレム、ブローチやペンダントの生地を織り出す為のスタンド付きビーズ織り機に関するものである。
【背景技術】
【０００２】
従来の大形グラスビーズでは、ビーズの糸織りに絡み糸を１，２本捻り合わせたビーズ装飾糸を作り上げ、これを手作業で縫い合わせたり、他の布地に縫いつけたり、又は接着剤で貼り付けたりして生地を作成し、これにより棒タイやベルト、或いはバッグ等を製作していた。
【０００３】
そして、その後小形アンティークグラスビーズを使用して、小はエンブレム、ブローチ、ペンダント類から大は棒タイ、ベルト或いはバッグ等の生地を織り出す為のビーズ織り機が考案されている。（例えば、特許文献１を参照。）
【特許文献１】実公開平６−６４６９
【０００４】
しかし、上記考案の従来型ビーズ織り機の問題点は、作業性にやや欠点が有り、ビーズ織り作業を進めるに従って、作業部分が織り手から遠ざかっていく為、手が届かない状況が発生し、作業を中断する必要が出てくる。
【考案の開示】
【考案が解決しようとする課題】
【０００５】
そこで、この考案は、上記問題を達成する為に、誰が使用しても全作業区域まで手が届き、楽で作業性の良いスタンド付きビーズ織り機を開発・提供する事にある。
【課題を解決するための手段】
【０００６】
この課題を解決する為の手段として、この考案は上・下端部に、それぞれ前方に向けて突出部を形成した左・右側枠を、所定幅寸法を保って、左右に並設し、これら側枠には、両端を係止部材で係止した糸巻き棒を、回動自在にそれぞれ取り付け、そして、糸巻き棒には、糸押え棒を、心棒方向に形成した長溝に嵌入し、且つ、心棒方向に一列に所定間隔に複数個の糸止め棒止め孔を前記長溝に対して直角方向に設けると共に、該糸止め棒止め孔に糸止め棒を嵌挿し、更に側枠両端の突出部間に、螺旋バネ及び目数尺度付き保持棒を、それぞれ固定し、且つ、該上部螺旋バネ内部に糸離脱防止用係止部材を嵌挿し、且つ、該左・右側枠のそれぞれ内面部の上方一端部付近に、止め栓等の係止部材で固定し、且つ、折り畳み式ストッパー等の固定手段を有するスタンドをそれぞれ設け、これらスタンドを、立てる事により左・右側枠を、所定の角度に傾けて使用するものである。
【考案の効果】
【０００７】
この考案は従来型のビーズ織り機（０００３）にスタンドを新設し、任意の所定角度に立てて使用する事で、作業を中断する事無く、ビーズによる、図案や織り模様の図柄通り比較的簡単な操作で、且つ、広範囲に渡って小はエンブレム、ブローチ、ペンダント類から大は棒タイ、ベルト、バッグに至るまでグラスビーズ独特の緻密で輝く豪華な製品を織り成す事が出来るものである。又、織り機も製品に応じて小型、大型と自由に製作出来、且つ、構造も低廉価格で提供でき、これらの製品は新規なる美術工芸品として斯界に貢献できる等、極めて有益なる効果を奏するものである。
【考案を実施するための最良の形態】
【０００８】
そこで、この考案の最良の形態は、従来型のビーズ織り機（０００３）に任意角度に調整可能な一対の折り畳み式スタンドを設け、且つ、上下方向に高さ調整可能な高さ調整手段を設ければ、更に作業性が良くなるがコストアップの要因にも成り、品質・機能・コスト・納期等、総合的な判断が必要となる。
【実施例１】
【０００９】
そこで、この考案の一実施例を図１〜図４に従って詳述すると、上・下端部に、それぞれ前方に向けて突出部を形成した左・右側枠（１）（２）を、所定幅寸法（Ｗ）を保って、左右に並設し、これら側枠（１）（２）には、両端を係止部材（５）で係止した糸巻き棒（４）を、回動自在にそれぞれ取り付け、そして、糸巻き棒（４）には、糸押え棒（６）を、心棒方向に形成した長溝（７）に嵌入し、且つ、心棒方向に一列に所定間隔（Ｐ）に複数個の糸止め棒止め孔（８）を前記長溝（７）に対して直角方向に設けると共に、該糸止め棒止め孔（８）に糸止め棒（９）を嵌挿し、更に側枠（１）（２）両端の突出部間に、螺旋バネ（１０）及び目数尺度（１２）付き保持棒（１１）を、それぞれ固定し、且つ、該上部螺旋バネ（１０）内部に糸離脱防止用係止棒部材（１０’）を嵌挿し、且つ、該左・右側枠（１）（２）のそれぞれ内面部の上方一端部付近に、止め栓等の係止部材（１３）で固定し、且つ、折り畳み式ストッパー等の固定手段（１７）を有するスタンド（１４）（１５）をそれぞれ設け、これらスタンドを、立てる事により左・右側枠（１）（２）を、所定の角度（α）に傾けて使用する事を特徴とするスタンド付きビーズ織り機から構成される。
【００１０】
最初にこの考案のビーズ織り機は、図５に示す様に左右のスタンド（１４）（１５）を作業者の使い易い所定角度（α）に合わせ、側枠外面の心棒（３）付係止部材（１３）を硬く締めて固定し、ビーズ織り機を立てる。そして、この時上下の目数尺度（１２）が良く見える様に、係止部材（５’）を軽く緩めて調整し、位置が決まったら再度しっかり締めて固定する。
【００１１】
次に、この考案の織り機の使用方法について説明すると、まず、最初に縦糸の張り方について説明すると、ブローチ等の小物の様に、縦糸（Ｔ）が始めから終わりまで1本で繋がっている場合は、織り機の前後糸巻き棒（４）に糸止め棒（９）をそれぞれ差し込み、縦糸の一端を手前の糸巻き棒の左側にセロハンテープで止め、手前の糸止め棒（９）に3回以上巻きつける。
【００１２】
そして、糸を手前の上部螺旋から対向する対応螺旋に通して対向側の糸止め棒（９）に掛け、右隣の螺旋に糸を通して手前の右隣螺旋まで引き、手前の糸止め棒に糸が緩まない様にきつく引っ張りながら掛ける。そして、同様に縦糸（Ｔ）を前後に往復して張り、ビーズ（Ｂ）の横目数より1本多く縦糸（Ｔ）を張り渡し、終わりは糸止め棒（９）に3回以上巻いて糸端を始端糸巻き棒（４）の右側にセロハンテープで止めておく。
【００１３】
次に、棒タイやベルト等、長い作品やバッグ等幅の広い作品は、必要な本数の縦糸（Ｔ）を用意して張る。まず、手前の糸巻き棒（４）の中央に１．５ｃｍ位の間隔で糸束を置き、糸押え棒（６）で長溝（７）へ挟み込んで両側をセロハンテープで止める。
【００１４】
次に、縦糸を1本ずつ螺旋バネ（１０）の間に通していく。そして、通し終えたら糸が浮き上がらないように糸離脱防止用係止棒部材（１０’）を嵌挿し固着する。歯刷子で糸を対向側の糸巻き棒（４）の糸押え棒（６）と長溝（７）に挟み込んで糸巻き棒（４）に固定し、セロハンテープで止める。そして、糸先を切り揃え、糸の張り具合を調整しながら糸巻き棒（４）に巻き取り、左右の係止部材（５）をしっかり締めて縦糸張りを終了する。
【００１５】
続いて、基本的な織り方について簡単に説明すると、まず、ビーズ織り作業をする時は、ビーズ織り機の左右側枠内面に設けた一対のスタンド（１４）（１５）を、所定の角度に拡げて係止部材（１３）でしっかり固定する。
【００１６】
そして、次に左端の縦糸の下から横糸（約８０ｃｍ）を通し、1回きつくこぶ結びをして糸端は１５ｃｍ程度残しておく。まず、上記横糸を縦糸の下をくぐらせ、図案通りの色合いのビーズ（Ｂ）を横糸を付けたビーズ針（Ｎ）で拾っていく。
【００１７】
次に、指でビーズ（Ｂ）を押し上げる様にして縦糸（Ｔ）の間にビーズ（Ｂ）を挟みこむ。そして、ビーズ針（Ｎ）が縦糸（Ｔ）の上を通る様にしてビーズ針（Ｎ）を折り返して通していく。この時針先が縦糸（Ｔ）を縫わないように針の頭から通すこと。1段目を織り終わったら使用する金具の幅と織り幅を調節し、織り始めの端糸と再度結んでおく。そして、端糸をビーズ針（Ｎ）に通し、1段目の中央位まで糸（Ｔ）を通して際で切り落とす。
【００１８】
後は、上記の様に織り続け、織り終わったら横糸を左端の縦糸と2回結び、そして、織り幅の中央位まで糸を通して際で切る。又、途中で横糸が短くなったら、新しい糸とはた結びをして連結する。
【００１９】
ビーズ織り作業が終了し収納する際は、折り畳み式ストッパー（１７）のヒンジ部を軽く持ち上げ、折り曲げながら左右のスタンドが側枠と平行になるように折り畳んで収納する。
【産業上の利用可能性】
【００２０】
この考案のスタンド付きビーズ織り機は、従来のビーズ織り機の作業性を改善する事で、グラスビーズを使用した大小様々な装飾品を誰もが簡単に短時間で織れるようにし、広範囲の市場に寄与する点で産業上の利用可能性を有する。
【図面の簡単な説明】
【００２１】
【図１】この考案の一実施例を示し、（Ａ）は平面図で、（Ｂ）は図１（Ａ）のｃ部拡大詳細図である。
【図２】この考案の一実施例を示し、（Ａ）は正面図で、（Ｂ）は一部欠截右側面図である。
【図３】この考案の一実施例を示し、図１（Ａ）のａ−ａ矢視断面図である。
【図４】この考案の一実施例を示し、図１（Ａ）のｂ−ｂ矢視断面図である。
【図５】この考案の使用例を示し、斜視図である。
【符号の説明】
【００２２】
１  左側枠
２  右側枠
３  心棒
４  糸巻き棒
５  係止部材
５’  係止部材
６  糸押え棒
７  長溝
８  糸止め棒止め孔
９  糸止め棒
１０  螺旋バネ
１０’  糸離脱防止用係止棒部材
１１  保持棒
１２  目数尺度
１３  係止部材
１４  左スタンド
１５  右スタンド
１６  スペーサー
１７  ストッパー等の固定手段
Ｂ  ビーズ
Ｔ  糸
Ｎ  ビーズ針
Ｗ  所定幅寸法
Ｐ  所定間隔
α  所定角度
【図１】
0003103647.tif 000003
【図２】
0003103647.tif 000004
【図３】
0003103647.tif 000005
【図４】
0003103647.tif 000006
【図５】
0003103647.tif 000007